(57)【特許請求の範囲】
【請求項１】
住戸内に設置した住戸用受信機から中継器を経由して引き出された一対の線路間に並列に複数の火災感知器を接続し、更に前記中継器から引き出された試験信号線に前記複数の火災感知器を接続し、試験時に試験器を前記中継器に接続して、前記試験器から試験信号を前記試験信号線に送出して前記複数の火災感知器の試験を遠隔的に行う遠隔試験機能付火災報知設備に於いて、
前記火災感知器は、入力側試験信号線から入力された試験信号により動作し、試験発報したときに試験信号を出力側試験信号線に出力するスイッチング回路を備え、更に試験信号線で接続された火災感知器の終端に終端器を接続し、
前記中継器は、試験時に前記試験器からの試験中信号を受けて前記火災感知器が接続された一対の線路を前記住戸用受信機から前記試験器側に切替接続する中継器回路部を備え、
前記試験器は、試験時に前記中継器に試験中信号を送出すると共に前記試験信号線に試験信号を送出して前記火災感知器を順次試験し、前記火災感知器からの試験発報信号を前記中継器を経由して取込んで試験発報の回数をカウントして記憶し、火災感知器からの試験発報信号を受信してから所定時間経過しても次の火災感知器からの試験発報信号を受信しない場合は、現在試験中の火災感知器が異常と判断して試験信号を次の感知器に供給するように試験信号を制御し、更に、火災感知器の異常があれば前記カウンタの記憶値に基づいて何番目の火災感知器が異常かを表示する試験器回路部を備え、
前記試験器の試験回路部は、現在試験中の火災感知器の異常を判断した場合、前記試験信号の電圧を所定値まで低下させる試験電圧制御回路を備え、
前記火災感知器のスイッチング回路は、前記試験信号による火災感知器の試験発報に基づいて次段の火災感知器に試験信号を送出させる第１切替部と、前記試験電圧の低下を検出し試験発報状態になくとも強制的に次段の火災感知器に試験信号を送出させる第２切替部とを備えたことを特徴とする遠隔試験機能付火災報知設備。
【請求項２】
住戸内に設置した住戸用受信機から中継器を経由して引き出された一対の線路間に並列に複数の火災感知器を接続し、更に前記中継器から引き出された試験信号線に前記複数の火災感知器を接続し、試験時に試験器を前記中継器に接続して、前記試験器から試験信号を前記試験信号線に送出して前記複数の火災感知器の試験を遠隔的に行う遠隔試験機能付火災報知設備に於いて、
前記火災感知器は、入力側試験信号線から入力された試験信号により動作し、試験発報したときに試験信号を出力側試験信号線に出力するスイッチング回路を備え、更に試験信号線で接続された火災感知器の終端に終端器を接続し、前記入力信号線から前記試験信号を受けた際に発報動作により前記一対の線路間に流す発報電流を、火災感知器の発報表示灯に流して点灯した後に前記スイッチング回路に流して切替え動作を行わせ、前記発報表示灯の異常時にも火災感知器を試験発報させずに前記試験器側で異常と判断し、
前記中継器は、試験時に前記試験器からの試験中信号を受けて前記火災感知器が接続された一対の線路を前記住戸用受信機から前記試験器側に切替接続する中継器回路部を備え、
前記試験器は、試験時に前記中継器に試験中信号を送出すると共に前記試験信号線に試験信号を送出して前記火災感知器を順次試験し、前記火災感知器からの試験発報信号を前記中継器を経由して取込んで試験発報の回数をカウントして記憶し、火災感知器からの試験発報信号を受信してから所定時間経過しても次の火災感知器からの試験発報信号を受信しない場合は、現在試験中の火災感知器が異常と判断して試験信号を次の感知器に供給するように試験信号を制御し、更に、火災感知器の異常があれば前記カウンタの記憶値に基づいて何番目の火災感知器が異常かを表示する試験器回路部を備え、
前記試験器の試験回路部は、現在試験中の火災感知器の異常を判断した場合、前記試験信号の電圧を所定値まで低下させる試験電圧制御回路を備え、
前記火災感知器のスイッチング回路は、前記試験信号による火災感知器の試験発報に基づいて次段の火災感知器に試験信号を送出させる第１切替部と、前記試験電圧の低下を検出し試験発報状態になくとも強制的に次段の火災感知器に試験信号を送出させる第２切替部とを備えたことを特徴とする遠隔試験機能付火災報知設備。
【請求項３】
住戸内に設置した住戸用受信機から中継器を経由して引き出された一対の線路間に並列に複数の火災感知器を接続し、更に前記中継器から引き出された試験信号線に前記複数の火災感知器を接続し、試験時に試験器を前記中継器に接続して、前記試験器から試験信号を前記試験信号線に送出して前記複数の火災感知器の試験を遠隔的に行う遠隔試験機能付火災報知設備に於いて、
前記火災感知器は、入力側試験信号線から入力された試験信号により動作し、試験発報したときに試験信号を出力側試験信号線に出力するスイッチング回路を備え、更に試験信号線で接続された火災感知器の終端に終端器を接続し、
前記中継器は、試験時に前記試験器からの試験中信号を受けて前記火災感知器が接続された一対の線路を前記住戸用受信機から前記試験器側に切替接続する中継器回路部を備え、
前記試験器は、試験時に前記中継器に試験中信号を送出すると共に前記試験信号線に試験信号を送出して前記火災感知器を順次試験し、前記火災感知器からの試験発報信号を前記中継器を経由して取込んで試験発報の回数をカウントして記憶し、火災感知器からの試験発報信号を受信してから所定時間経過しても次の火災感知器からの試験発報信号を受信しない場合は、現在試験中の火災感知器が異常と判断して試験信号を次の感知器に供給するように試験信号を制御し、更に、火災感知器の異常があれば前記カウンタの記憶値に基づいて何番目の火災感知器が異常かを表示する試験器回路部を備え、
該試験回路部は、前記火災感知器からの試験発報信号が所定時間以上継続した場合に実際の火災による火災感知器の発報と判断して試験を中止し、前記中継器を通常監視状態に戻して火災警報を行わせ、試験器自身でも火災警報を表示することにより実火災処理を行わせる火災信号検出回路を備えたことを特徴とする遠隔試験機能付火災報知設備。
【発明の詳細な説明】
【０００１】
【発明の属する技術分野】
本発明は、中継器から引き出された一対の線路間に並列に接続された複数の感知器に対し試験信号線を接続し、試験器を中継器に接続して複数の感知器の試験を遠隔的に行う遠隔試験機能付火災報知設備及び試験器に関する。
【０００２】
【従来の技術】
従来、共同住宅等に設置された火災報知設備においては、各住戸内に火災感知器が設置され、火災感知器の火災検出により住戸内の火災受信機及び管理室に設置された住棟受信機に火災検出信号を送出して異常の警報をしている。この各住戸内の火災感知器を試験するには、通常、各住戸内に人が入り、火災感知器用の試験器、例えば火煙試験器や加熱試験器等を用いて一つずつ動作させて確認している。
【０００３】
しかしながら、このような試験方法では各住戸内に入って試験を行わなければならず、住人が留守の場合であったり、プライバシー等の問題で住戸内に入れない場合がある。そこで、近年、住戸内に入らずに住戸外から遠隔的に火災感知器を試験させることが考えられている。このようなシステムとしては特開平８−３０５９７７号公報に記載されている。
【０００４】
このシステムは、中継器もしくは受信機から火災感知器を並列に接続する一対の線路に加えて、火災感知器に試験用電源を供給する試験信号線を直列に接続するように設けている。試験を行うときには、中継器もしくは受信機に点検器を接続し、火災感知器に接続された一対の線路を点検器側に切替え、点検器からの検出信号で受信機に警報動作できるようにする。
【０００５】
そして、点検器から試験用信号線に試験電源を供給し、最初に接続された火災感知器に試験電源を供給し発報動作させる。火災感知器が正常であれば火災感知器が発報し、次の火災感知器に試験電源が供給される。このように順次火災感知器を発報させて、火災感知器が全て正常であれば、試験信号線の終端に接続された終端抵抗に流せる電流により、全ての火災感知器が正常に作動したと判断する。
【０００６】
全て正常であると判断すると受信機を警報動作させて試験の結果が判定できる。これによって遠隔的に感知器回線に接続した火災感知器全ての試験が行えるものである。
【０００７】
【発明が解決しようとする課題】
しかしながら、このような従来のシステムにおいては、複数ある火災感知器の内のいずれかが異常である場合に、その試験電源が異常火災感知器の箇所で停止して次の火災感知器に供給されず、異常火災感知器以降の火災感知器の試験ができない。また複数ある火災感知器の内、どの火災感知器が異常であるか特定することができず、試験後の対処に手間がかかる。
【０００８】
本発明は、このような従来の問題点に鑑みてなされたもので、途中の火災感知器に異常があっても最後まで試験ができ、異常感知器を試験器側で識別できるようにした遠隔試験機能付火災報知設備及び試験器を提供することを目的とする。
【０００９】
【課題を解決するための手段】
この目的を達成するめた本発明は次のように構成する。
まず本発明は、住戸内に設置した住戸用受信機から中継器を経由して引き出された一対の線路間に並列に複数の火災感知器を接続し、更に中継器から引き出された試験信号線に複数の火災感知器を接続し、試験時に試験器を中継器に接続して、試験器から試験信号を試験信号線に送出して複数の火災感知器の試験を遠隔的に行う遠隔試験機能付火災報知設備を対象とする。
【００１０】
このような本発明の遠隔試験機能付火災報知設備においては、火災感知器は、入力側試験信号線から入力された試験信号により動作し、試験発報したときに試験信号を出力側試験信号線に出力するスイッチング回路を備え、更に試験用信号線で直列接続された火災感知器の終端に終端器を接続する。また中継器は、試験時に試験器からの試験中信号を受けて火災感知器が接続された一対の線路を前記住戸用受信機から前記試験器側に切替接続する中継器回路部を備える。
【００１１】
更に試験器は、試験時に中継器に試験中信号を送出すると共に試験信号線に試験信号を送出して火災感知器を試験し、火災感知器からの試験発報信号を中継器を経由して取込んで試験発報の回数をカウントして記憶し、火災感知器からの試験発報信号を受信してから所定時間経過しても次の火災感知器からの試験発報信号を受信しない場合は、現在試験中の火災感知器が異常と判断して試験信号を次の感知器に供給するように試験信号を制御し、更に、火災感知器の異常があれば前記カウンタの記憶値に基づいて何番目の火災感知器が異常かを表示する試験器回路部を備える。
【００１２】
このため、途中の火災感知器に異常があって試験発報が行われなくとも、次の火災感知器に試験信号を送出して最後まで試験することができる。また何番目の火災感知器が異常を起したかが試験結果として得られ、試験後の対処が容易になる。
試験器の試験回路部は、現在試験中の火災感知器の異常を判断した場合、前記試験信号の電圧を所定値まで低下させる試験電圧制御回路を備える。これに対応して火災感知器のスイッチング回路は、試験信号による火災感知器の試験発報に基づいて次段の火災感知器に試験信号を送出させる第１切替部と、試験電圧の低下を検出し、試験発報状態になくとも強制的に次段の火災感知器に試験信号を送出させる第２切替部とを備える。
【００１３】
火災感知器は、試験信号を受けた際の発報動作により一対の線路間に流す発報電流を、火災感知器の発報表示灯に流して点灯した後にスイッチング回路に流して切替え動作を行わせ、発報表示灯の異常時にも火災感知器を試験発報させずに試験器側で異常と判断できるようにする。
【００１４】
また試験器の試験回路部は、火災感知器からの試験発報信号が所定時間以上継続した場合に、実際の火災による火災感知器の発報と判断して実火災処理を行わせる火災信号検出回路を備える。この実火災処理は、試験を中止して中継器を通常監視状態に戻して火災警報を行わせ、試験器自身でも火災警報を表示する。
【００１８】
【発明の実施の形態】
図１は本発明による遠隔試験機能付火災報知設備のブロック図である。まず火災報知設備は、１つの住戸を例にとると、中継器１０、火災感知器１２ａ〜１２ｎ、住戸用受信機１４及び戸外表示器１６で構成される。住戸内の火災感知器１２ａ〜１２ｎを試験する際には、住戸外に設置されている中継器１０に対し図示のように外部試験器１８を接続して試験を行うことができる。
【００１９】
中継器１０からは、一対の線路Ｌ，Ｃと試験信号線ＱＡが引き出されている。一対の線路Ｌ，Ｃ間には火災感知器１２ａ〜１２ｎが並列接続される。試験信号線ＱＡに対しては、火災感知器１２ａ〜１２ｎが直列接続される。火災感知器１２ａ〜１２ｎには、一対の線路Ｌ，Ｃ側には終端器である断線監視用終端抵抗２２が接続され、一方、試験信号線ＱＡとコモン側の線路Ｃとの間には試験用の終端抵抗２０が接続される。終端抵抗２０，２２は抵抗値が異なり、例えば断線監視用終端抵抗２２は１〜１．２キロオーム程度、試験用終端抵抗１９は、３〜４．７キロオーム程度となる。また終端器は抵抗だけでなく、抵抗とコンデンサの組み合せ等でもよい。
【００２０】
住戸用受信機１４は、中継器１０を経由して一対の線路Ｌ，Ｃ間に火災感知器１２ａ〜１２ｎを接続している。即ち住戸用受信機１４からの一対の線路ＳＬ，ＳＣは、中継器１０内で火災感知器側の一対の線路Ｌ，Ｃ間に切替接続される。この切替接続のため、中継器１０には切替リレー２８が設けられ、その切替リレー接点ｒｙ１により住戸用受信機１４の線路ＳＬと火災感知器側の線路Ｌを接続している。またコモン側の線路ＳＣ，Ｃは直列接続される。
【００２１】
定常監視状態において切替リレー２８は非作動状態にあり、リレー接点ｒｙ１はｂ側に切り替わっており、これにより住戸用受信機１４からの一対の線路ＳＬ，ＳＣ間に火災感知器１２ａ〜１２ｎが接続される。中継器１０に設けた切替リレー２８は外部試験器１８からの試験中信号により作動され、切替リレー接点ｒｙ１をａ側に切り替えて住戸用受信機１４から火災感知器１２ａ〜１２ｎ側を切り離し、中継器１０を介して外部試験器１８に接続する。
【００２２】
この切替リレー２８の作動時に並列接続された試験中灯２６が点灯し、中継器１０において外部試験器１８による試験中であることが分かる。また切替リレー２８のリレー接点ｒｙ２が設けられ、このリレー接点ｒｙ２は試験中信号線ＳＴ，ＳＴＣにより住戸用受信機１４に接続され、試験時の切替リレー２８の作動でリレー接点ｒｙ２を閉じて、住戸用受信機１０側に外部試験器１８による試験中であることを知らせる。
【００２３】
また住戸用受信機１４からの一対の線路ＳＬ，ＳＣが接続した信号線間にはトランジスタ２４を備えた確認発報回路２５が設けられており、住戸用受信機１４から火災感知器１２ａ〜１２ｎ側を切り離した状態で外部試験器１８よりの火災確認信号を受けてトランジスタ２４をオンし、これにより一対の線路ＳＬ，ＳＣ間を疑似的に短絡し、火災感知器側が発報したと同じ受信状態を住戸用受信機１４側に作り出せるようにしている。
【００２４】
住戸用受信機１４には、制御部３０、受信回路３２、火災表示部３４、作動メッセージ出力部３６、火災メッセージ出力部３８及び火災確定出力部４０が設けられる。また住戸用受信機１４に接続された玄関ドアの近傍に設けられる戸外表示器１６には、火災表示器４２及びスピーカ等を用いた火災メッセージ出力部４４が設けられている。
【００２５】
住戸用受信機１４の制御部３０は、定常監視状態で受信回路３２による火災感知器の発報を受信すると制御部３０のタイマ３１を起動し、２〜５分の範囲で設定したタイマ３０の設定時間継続して受信回路３２で発報受信が行われると、火災表示部３４による火災表示及び火災確定出力部４４による管理室の住棟受信機に対する火災確定出力、更には火災メッセージ出力部３８による戸外表示器１６における火災メッセージ出力部４４による火災メッセージの出力と火災表示器４２による火災表示を行う。また作動メッセージ出力部３６は、制御部３０で受信回路３２からの感知器発報を受信した際に作動し、火災確定前の警報表示を行う。
【００２６】
次に外部試験器１８を説明すると、まず電源回路部４８が設けられる。電源回路部４８には、電池５０、充電回路５２、充電中灯５４、電圧監視回路５６、要充電灯５８、電源スイッチ６０及び電源灯６２が設けられる。電池５０としては例えばリチウム電池等が使用され、充電回路５２に対し適宜のＡＣアダプタ等の充電器を接続することで電池５０が充電できる。
【００２７】
この充電中にあっては、充電中灯５４が点灯する。電池５０の電圧は電圧監視回路５６で監視されており、電池が消耗して電圧が低下すると要充電灯５８が点灯する。外部試験器１８により火災感知器の試験を行う場合には、電源スイッチ６０をまずオンする。電源スイッチ６０をオンすると電源灯６２が点灯する。
外部試験器１８の試験回路部としては、制御回路４６が設けられる。更に制御回路４６に対しては試験信号送出回路６４、試験信号電圧制御回路６６、終端信号検出回路６８、ＤＣ／ＤＣコンバータ７０、火災信号検出回路７２、試験火災信号検出回路７４、確認信号送出回路７６、試験中信号送出回路７８が設けられる。
【００２８】
また制御回路４６の制御機能として、試験に必要な各種の時間監視のため、設定時間Ｔ１をもつ試験タイマ１００、設定時間Ｔ２をもった異常判定タイマ１０２及び設定時間Ｔ３をもった火災判定タイマ１０４が設けられる。また制御回路４６に対する操作表示部として、試験開始スイッチ８２、試験終了スイッチ８４、モード切替スイッチ８６、試験中灯８８、試験結果表示灯９０、火災灯９４及びブザー９５が設けられている。
【００２９】
更に中継器１０からの一対の線路Ｌ，Ｃ及び試験信号線ＱＡの接続端子側には感知器接続ジャック６５が設けられ、感知器接続ジャック６５にプラグにより感知器ベースを接続し、感知器ベースに対し感知器本体を装着することで火災感知器単体の試験ができる。この火災感知器単体の試験は、感知器ベースだけでなく、ワニ口クリップで火災感知器を直接接続する感知器接続治具もよい。
【００３０】
図２は図１の外部試験器１８の説明図であり、下側操作パネルにおける右側には電源スイッチ６０が設けられる。電源スイッチ６０をオン位置に操作すると電源灯６２が点灯し、試験動作が可能となる。電源スイッチ６０の右側即ち中央部には試験開始スイッチ８２と試験終了スイッチ８４が設けられている。試験開始スイッチ８２を操作すると試験中灯８８が点灯する。
【００３１】
試験中に試験終了スイッチ８４を押すと試験を終了することができる。電源スイッチ６０の上部にはモード切替スイッチ８６が設けられている。モード切替スイッチ８６は
▲１▼通常試験モード、
▲２▼繰返し試験モード、
▲３▼住戸用受信機試験モード、
の３つのモードを選択することができる。通常試験モード▲１▼はモード切替スイッチ８６の中央の「定位」の切替位置であり、図１の火災感知器１２ａ〜１２ｎの最初から最後の１回の試験動作を行う。
【００３２】
繰返し試験モード▲２▼はモード切替スイッチ８６を上側に切り替えた「繰返し試験」の切替位置であり、図１の火災感知器１２ａ〜１２ｎの試験を最初から最後まで行うと、再度自動的に繰り返す。更に住戸用受信機試験モード▲３▼はモード切替スイッチ８６の下側の「ＧＰ３試験」であり、この住戸用受信機試験モードにあっては、図１の住戸用受信機１４から住棟受信機への移報動作と戸外表示器１６の警報動作の確認を外部試験器１８によって行うことができる。
【００３３】
モード切替スイッチの左側には試験結果表示灯９０が設けられている。試験結果表示灯９０は、正常であれば緑に点滅し、異常であれば赤に点滅する。試験結果表示灯９０の下側には故障感知器番号表示器８０が設けられている。故障感知器番号表示器８０は２桁の７セグメント表示器を使用しており、試験中に異常が判断された火災感知器の番号が表示される。
【００３４】
更に操作パネルには、要充電灯５８と火災灯９４が設けられている。火災灯９４は試験中に実際の火災が判別されると点灯状態に切り替わる。
図３は図１の火災感知器１２ａ〜１２ｎの回路図である。図３において、中継器１０からの一対の線路が接続される端子Ｌ，Ｃに続いて、コンデンサＣ１８，Ｃ１９、ダイオードＤ１を備えたノイズ除去と逆接続防止回路が設けられ、続いてツェナダイオードＺＤ１とコンデンサＣ１による電源電圧を安定させる回路部を設けている。
【００３５】
続いてトランジスタＱ１が設けられ、トランジスタＱ１がオンすることで端子Ｌ，Ｃ間に発報電流を流して、中継器１０側に火災信号を出力する発報電流を流す。トランジスタＱ１のコレクタ側には発報表示灯１１２が接続される。トランジスタＱ１のベース側にはスイッチング用のトランジスタＱ２が設けられ、トランジスタＱ２のベースは抵抗Ｒ５を介して、サーミスタＴＨを用いた感知回路１１４に接続される。感知回路１１４は、トランジスタＱ３を備えた定電圧回路による電源供給を受け、トランジスタＱ７Ａ，Ｑ７Ｂを差動接続しており、トランジスタＱ７Ｂ側のベースに火災による熱を受けて抵抗値の変化するサーミスタＴＨを接続している。
【００３６】
定常監視状態にあっては、感知回路１１４のトランジスタＱ７Ｂがオン、トランジスタＱ７Ａがオフとなっているが、所定の火災検出温度を超えるとサーミスタＴＨの抵抗値が減少してトランジスタＱ７Ｂがオフとなり、逆にトランジスタＱ７Ａがオンとなって、トランジスタＱ２をオンし、これに伴ってトランジスタＱ１をオンすることで一対の端子Ｌ，Ｃ間に発報電流を流す。
【００３７】
火災感知器の試験のために設けている入力用試験信号線端子ＱＡと出力用試験信号線端子ＱＢに対しては、スイッチング回路１１０を設けている。スイッチング回路１１０にはトランジスタＱ４，Ｑ５，Ｑ４１を用いた切替回路が設けられている。試験時には入力用試験信号線端子ＱＡに図１の試験器１８より中継器１０を経由して１２ボルトの試験信号が印加される。この試験信号は抵抗Ｒ９，Ｒ１１を介して、感知回路１１４のトランジスタＱ７Ａ側に設けているトランジスタＱのベースに抵抗Ｒ１５，Ｒ１６を介して供給され、トランジスタＱ６をオンする。このためトランジスタＱ７Ａが強制的にオンされ、トランジスタＱ２，Ｑ１のオンにより端子Ｌ，Ｃ間に発報電流を流す。
【００３８】
またスイッチング回路１１０にあっては、入力用試験信号線端子ＱＡに１２ボルトが加わったときトランジスタＱ１はオンとなり、入力用試験信号線端子ＱＡと出力用試験信号線端子ＱＢ間を接続しているトランジスタＱ４のベースをオフ状態にバイアスし、トランジスタＱ４のオフ状態を維持している。
トランジスタＱ１のオンにより火災感知器の試験発報が行われると、トランジスタＱ１及び発報表示灯１１２より抵抗Ｒ１３，Ｒ１４を介してスイッチング回路１１０のトランジスタＱ５にベース電流が供給され、トランジスタＱ５がオンする。トランジスタＱ５がオンすると、トランジスタＱ４のベースが抵抗Ｒ１１を介して引き込まれ、トランジスタＱ４がオンし、入力用試験信号線端子ＱＡに対する試験信号の１２ボルトをトランジスタＱ４を介して出力用試験信号線端子ＱＢより次の火災感知器に１２ボルトの試験信号を出力するようにしている。このトランジスタＱ４，Ｑ５，を含む回路がスイッチング回路１１０の第１切替回路となる。
【００３９】
一方、火災感知器１２においてサーミスタＴＨの断線等の異常があった場合には、入力用試験信号線端子ＱＡに試験信号として１２ボルトが印加されても、トランジスタＱ６がオンしてもトランジスタＱ７Ａはオフ状態にあり、トランジスタＱ２，Ｑ１のオンによる試験発報はできない。このためトランジスタＱ１のオンにより流れる発報電流によるトランジスタＱ５のオンでトランジスタＱ４をオンすることができず、次の火災感知器に対する１２ボルトの試験信号の送出ができない。
【００４０】
このような火災感知器１２の試験信号に対する異常に対し、図１の試験器１８側にあっては、制御回路４６の異常判定タイマ１０２の設定時間Ｔ２を経過しても試験発報を検出できない場合には、試験信号の電圧を１２ボルトから８ボルトに低下させる試験信号電圧制御を試験信号電圧制御回路６６に行わせる。
このように火災感知器の異常が判定されて入力用試験信号線端子ＱＡに対する試験信号の電圧が１２ボルトから８ボルトに低下すると、１２ボルトでオンしていたトランジスタＱ４１のベースバイアスが下がってオフバイアスとなり、トランジスタＱ４１がオフする。このためトランジスタＱ４１のオフでトランジスタＱ４のカットオフが解除され、トランジスタＱ４がオンし次の火災感知器に試験信号を送出できる。トランジスタＱ４がオンすれば試験信号は８ボルトから再び１２ボルトに戻り、トランジスタＱ４が一度オンすると１２ボルトに戻ってもオン状態を維持するため、次の火災感知器に１２ボルトの試験信号を異常を起こした火災感知器が途中にあっても供給することができる。このトランジスタＱ４１を含む回路がスイッチング回路１１０の第２切替回路となる。
【００４１】
次に図１の実施形態における外部試験器１８による試験動作を各回路部の機能と共に詳細に説明する。まず火災感知器１２ａ〜１２ｎの試験準備のため、図２に示した外部試験器１８につき付属のケーブルを使用して中継器１０と外部試験器１８を図１のように接続する。続いて外部試験器１８の電源スイッチ６０をオンする。
【００４２】
このとき、モード切替スイッチ８６が図２のように通常試験モードとなる「定位」にあることを確認する。続いて試験開始スイッチ８２を押すと試験中灯８８が点灯し、試験が開始される。即ち、試験開始スイッチ８２を押すと制御回路４６は試験中信号送出回路７８を動作し、試験中信号線ＳＴ，ＳＴＣにより中継器１０に対し試験中信号を出力し、中継器１０に設けている試験中灯２６を点灯し、また切替リレー２８を作動する。
【００４３】
切替リレー２８が作動すると切替リレー接点ｒｙ１は図示のａ側に切り替わり、これによって住戸用受信機１４を火災感知器１２ａ〜１２ｎ側から切り離し、外部試験器１８側に接続する。またリレー接点ｒｙ２が閉じることで、試験中信号線ＳＴ，ＳＴＣによって住戸用受信機１４の制御部３０に外部試験器１８による試験中であることを示す信号が出力される。
【００４４】
このような試験中信号の送出処理が済むと、制御回路４６は試験信号送出回路６４を作動し、試験信号電圧制御回路６６を経由して試験信号線ＱＡとコモン線Ｃ間に試験信号を出力する。このときの試験信号の電圧は、ＤＣ／ＤＣコンバータ７０からのＤＣ１２ボルトに制御されている。外部試験器１８の試験信号送出回路６４から送出された１２ボルトの試験信号は、中継器１０を経由して、まず火災感知器１２ａに供給される。
【００４５】
火災感知器１２ａは、図３の感知器回路に示したように、スイッチング回路１１０の抵抗Ｒ９，Ｒ１１，Ｒ１５，Ｒ１６を介して感知回路１１４のトランジスタＱ６をオンし、トランジスタＱ７ＡがオンとなることでトランジスタＱ２，Ｑ１をオンして、火災感知器が正常であれば試験発報を行わせる。
再び図１を参照するに、火災感知器１２ａが試験信号により試験発報すると、一対の線路Ｌ，Ｃ間に発報電流が流れ、外部試験器１８の試験火災信号検出回路７４が試験発報を検出し、制御回路４６に検出結果を出力する。制御回路４６には火災感知器の試験発報の回数を計数するカウンタ１０６が設けられており、試験火災信号検出回路７４の検出出力を受けると、カウンタ１０６が１つカウントアップされる。
【００４６】
火災感知器１２ａにあっては、試験発報が行われると、図３のスイッチング回路１１０のトランジスタＱ５のオンにより次の火災感知器に試験信号を送るためにトランジスタＱ４をオンし、次の火災感知器１２ｂに試験信号１２ボルトが送られて試験発報が行われる。
以下同様にして、最後の火災感知器１２ｎまでの試験発報が行われると、最終的に試験用終端抵抗２０に対し試験信号が出力され、この試験用終端抵抗２０の抵抗値で決まる線路電流を外部試験器１８の終端信号検出回路６８で検出し、終端信号検出回路６８の検出信号を受けて制御回路４６で試験終了を認識する。この場合は異常な火災感知器はないことから、試験結果表示灯９０を正常を示す緑に点灯する。
【００４７】
同時に制御回路４６は確認信号送出回路７６を起動し、確認信号信号線ＯＫを経由して中継器１０に確認信号を出力する。この確認信号を受けて中継器の確認発報回路２５のトランジスタ２４がオンし、住戸用受信機１４からの一対の線路ＳＬ，ＳＣ間に発報電流を流し、受信回路３２の発報受信に基づき制御部３０で、戸外表示器１６に設けている火災表示器４２の点灯及び火災メッセージ出力部４４による火災メッセージ出力を行う。
【００４８】
このとき制御部３０は中継器１０のリレー接点ｒｙ２のオンにより試験中信号を受けていることから、試験発報による発報受信であることが分かり、したがって作動メッセージ出力部３６による火災確定出力は禁止して住戸内に火災メッセージ出力が行われることはない。尚、制御部３０は、火災確定出力部４０により、住棟受信機１４へ火災確定出力を行う。このため住棟用受信機１４の移報動作が正常か否か試験できる。
【００４９】
外部試験器１８で試験結果表示及び確認信号送出が終了すると、制御回路４６に設けている試験タイマ１００の設定時間Ｔ１、例えばＴ１＝９０秒を経過した時に試験動作を終了して初期状態にリセットする。試験動作の停止は、試験タイマ１００の設定時間Ｔ１以内であれば、試験終了スイッチ８４を操作することでも終了できる。
【００５０】
図４（Ａ）〜（Ｉ）は、図１の火災感知器１２ａ〜１２ｎが正常な場合の外部試験器１８による試験動作のタイミングチャートである。まず図４（Ａ）で電源スイッチ６０により電源を投入し、図４（Ｂ）の試験開始スイッチ８２を操作すると、図４（Ｃ）のように試験中信号Ｅ１が出力される。続いて図４（Ｄ）の試験信号Ｅ２が出力され、試験動作が行われ、これに伴い図４（Ｅ）のように、例えば１０台の火災感知器であった場合には、試験発報による試験火災信号Ｅ３が番号１〜１０に示すように順次得られる。
【００５１】
全ての火災感知器の試験発報が済むと、図４（Ｆ）のように、終端信号検出回路６８で終端信号Ｅ４が得られ、これに基づき図４（Ｇ）の確認信号Ｅ５を中継器１０に出力し、住戸用受信機１４の戸外表示器１６における確認用の火災表示が行われる。また試験結果表示灯が図４（Ｉ）のように、例えば緑に複数回点滅する。この場合、図４（Ｈ）で試験終了スイッチ８４が押されることで試験が終了している。
【００５２】
次に火災感知器１２ａ〜１２ｎのいずれかでサーミスタ断線等の異常があった場合の試験動作を説明する。外部試験器１８における試験の手順は同じであり、異常を起こしている火災感知器に前段の火災感知器の試験発報に基づいて試験信号が供給されても、異常に試験発報が行われない。即ち、図３の火災感知器１２において、例えばサーミスタＴＨが断線していたり発報表示灯１１２が切れていたような場合には、１２ボルトの試験信号を受けてもトランジスタＱ６，Ｑ７Ａ，Ｑ２，Ｑ１のオンに伴う試験発報は行われない。
【００５３】
火災感知器における試験発報が行われずに異常かどうかは、図１の外部試験器１８の制御回路４６に設けている異常判定タイマ１０２の設定時間Ｔ２により判定している。即ち、試験火災信号検出回路７４で前段の正常な火災感知器の試験発報による試験火災信号を受信したときに異常判定タイマ１０２を起動し、その設定時間Ｔ２、例えばＴ２＝約０．１５秒を経過しても次の試験発報による試験火災信号が得られない場合、現在試験中の火災感知器の異常と判断する。
【００５４】
このように火災感知器の異常が判断されると、制御回路４６は試験結果表示灯９０を異常を示す赤に点滅し、同時にブザー９５を鳴動して感知器異常を知らせ、更にそのときのカウンタ１０６の計数値に基づいて、故障している感知器番号を故障感知器番号表示器８０に表示し、何番目の火災感知器が異常を起こしているかを表示する。
【００５５】
また制御回路４６は、火災感知器の異常検出に基づき試験信号電圧制御回路６６を制御して、試験信号をそれまでの１２ボルトから８ボルトに低下させる。試験信号が１２ボルトから８ボルトに低下すると、異常を起こしている図３の感知器回路に設けているスイッチング回路１１０はトランジスタＱ４１がオフすることでトランジスタＱ４がオンし、試験発報が行われなくともトランジスタＱ４のオンにより次の火災感知器に試験信号を送出する。
【００５６】
制御回路４６は異常を起こした火災感知器側での強制切替えが済むと、試験信号を元の１２ボルトに戻す。このため、次の正常な火災感知器からの試験発報が再度行われる。なお、試験の途中で火災感知器の異常が判別された場合には、終端信号検出回路６８の終端信号の検出に基づく確認信号送出回路７６による中継器１０に対する確認信号の送出は行わない。
【００５７】
図４（Ｊ）〜（Ｍ）は、外部試験器１８による火災感知器の試験で６番目の火災感知器が異常と判断された場合のタイミングチャートである。即ち、図４（Ｊ）の火災信号Ｅ３を見ると、５番目までは正常に試験発報であるが、６番目の火災感知器で異常判定タイマ１０２の設定時間Ｔ２以内に発報信号が得られず、この時点で異常と判断され、図４（Ｋ）の試験結果表示灯の赤による異常の点滅表示、図４（Ｌ）のブザー９４の鳴動による警報音の出力が行われる。
【００５８】
更に図４（Ｍ）のように試験信号電圧制御回路６６の作動で試験信号電圧を１２ボルトから８ボルトに所定時間制御することで、異常を起こした火災感知器のスイッチング回路１１０を強制的にオンして、次の火災感知器に試験信号を送るようにしている。
尚、図４（Ｊ）〜（Ｍ）の火災感知器の異常時の動作にあっては、火災感知器の異常を判断した際に、試験結果表示灯９０の赤の点滅、感知器番号表示器８０による異常感知器番号の表示を行っているが、この時点で異常判断結果を記憶保持し、全ての火災感知器の試験発報が終了して終端信号が得られたタイミングで試験結果の表示及び故障感知器番号表示を行うようにしてもよい。
【００５９】
しかし、例えば火災感知器が１０台であっても、最初から最後までの試験動作に必要な時間は１秒以下のごく短い時間で済むことから、火災感知器の異常を検出したときに異常警報表示を行っても、最後まで試験発報を行った後に異常検出表示を行っても、人間の目から見た場合にはほとんど区別できるものではなく、どちらであってもよい。
【００６０】
次に、試験中に実際に火災が起きた時の動作を説明する。外部試験器１８を使用した火災感知器１２ａ〜１２ｎの試験中に火災が発生すると、火災を検出した火災感知器より発報信号が継続して外部試験器１８に供給される。この実際の火災により発報信号は火災信号検出回路７２で検出されている。具体的には制御回路４６に設けている火災判定タイマ１０４の設定時間Ｔ３に亘り継続して火災検出信号が得られたときに、実際の火災による感知器発報と判断する。
このようにして実際の火災を判断した場合には試験動作は停止し、確認信号送出回路７６を作動して継続的に確認信号を中継器１０に出力し、住戸用受信機１４による発報受信動作を行わせる。このとき試験中信号送出回路７８からの試験中信号は解除されるため、切替リレーＲＹが復旧して切替リレー接点ｒｙ２が開き、制御部３０に対する試験中信号による火災確定出力の禁止が解除され、住戸用受信機１４はタイマ３１による発報受信の継続を設定時間受信すると、火災確定出力部４０を作動し、火災メッセージ出力３８により戸外表示器１６からのメッセージ出力及び火災表示を行わせ、更に管理室の住棟受信機に対する火災確定出力を行う。
【００６１】
更に本発明の外部試験器１８にあっては、モード切替スイッチ８６を「繰返し試験」に切り替えて試験開始スイッチ８２を押すと、所定周期例えば１６秒の周期で火災感知器１２ａ〜１２ｎの繰返し試験ができる。この繰返しモードによる試験は、例えば試験動作により火災感知器の発報表示灯１１２が試験発報ごとに点灯を繰り返すことから、火災感知器の発報表示灯１１２の点灯の確認に利用できる。また火災感知器の異常を判断できた際には、繰返し試験モードとしておくことで発報表示灯１１２のつかない火災感知器を探し、感知器番号で分かっている異常を起こしている火災感知器を見つける作業が容易にできる。
【００６２】
図５は図１の外部試験器１８に設けている制御回路４６による試験処理であり、モード切替スイッチ８６で「定位」の通常試験モードを選択した場合である。まずステップＳ１で試験スイッチ８２のオン操作をチェックしており、試験スイッチがオンされるとステップＳ２に進み、試験中信号を中継器１０に出力して感知器１２ａ〜１２ｎの線路Ｌ，Ｃを外部試験器１８側に切り替える。
【００６３】
続いてステップＳ３で試験信号１２ボルトを送出する。続いてステップＳ４で異常判定タイマ１０２を起動して設定時間Ｔ２に達したか否かチェックし、設定時間Ｔ２に達する前にステップＳ５で試験発報に火災信号による火災信号を検出すると、ステップＳ６でカウンタ１０６を１つカウントアップし、続いてステップＳ７で火災判定タイマ１０４で設定時間Ｔ３を超えて火災信号が継続するか否かチェックする。
【００６４】
火災信号が試験発報であれば設定時間Ｔ３未満であることから、ステップＳ８で終端信号の検出をチェックする。終端信号を検出しなければ再びステップＳ３に戻り、試験信号１２ボルトの送出に基づく発報試験を継続する。ステップＳ３で最後の火災感知器の試験発報が済んで終端信号を検出すると、ステップＳ９で感知器異常でないことを判別してステップＳ１０で中継器１０に確認信号を送出し、戸外表示器１６での火災表示を行わせる。
【００６５】
続いてステップＳ１１に進んで、試験結果表示灯９０で正常となる緑の点滅を行い、ステップＳ１２で試験タイマ１００の設定時間Ｔ１の経過あるいは試験終了スイッチ８４のオン操作を待って一連の処理を終了する。
一方、試験中に火災感知器に異常があった場合には、ステップＳ４で、試験開始あるいは前の火災感知器の正常な試験発報からの経過時間が異常判定タイマ１００の設定時間Ｔ２に達した時に火災感知器の異常と判断し、ステップＳ１３で試験電圧を１２ボルトから８ボルトに制御して、異常を起こした火災感知器のスイッチング回路１１０を強制的に切り替えて次の火災感知器に試験信号を出力し、ステップＳ１４で、カウンタ１０６を＋１カウントアップした状態で停止する。
【００６６】
そしてステップＳ３〜Ｓ８の処理をステップＳ８で終端信号が検出されるまで後段の火災感知器について試験を繰り返し、終端信号を検出すると、この場合はステップＳ９で感知器異常が判別され、ステップＳ１２で試験終了を判別して処理を終了する。
一方、試験中に実際に火災が起きた場合には、ステップＳ７で火災信号が火災判定タイマ１０４の設定時間Ｔ３に達した時に、ステップＳ１６に進んで試験動作を停止し、ステップＳ１７で確認信号を継続的に送出することで、住戸用受信機１４における実際の火災による発報受信を継続的に行わせ、住戸用受信機１４自身での火災警報表示、戸外表示器１６での火災警報表示、更に管理室に設けている住棟受信機に対する火災確定出力による警報表示を行わせる。
【００６７】
尚、図５のフローチャートは、異常検出時に感知器異常と感知器番号を表示しているが、正常試験時と同様、最後の火災感知器の試験を終了した時点で異常表示と番号表示を行ってもよい。また本発明は実施形態に示した数値による限定は受けない。
【００６８】
【発明の効果】
以上説明してきたように本発明によれば、住戸内に設置している火災感知器に異常があって試験発報が行われなくとも、次の火災感知器に試験信号を送出して最後の火災感知器まで試験することができ、異常のある火災感知器で試験動作が停止してそれ以降の火災感知器の試験ができなくなる不具合を解消することができる。また火災感知器の異常を判断した際には何番目の火災感知器で異常が起きたかが試験結果として得られ、試験後の対処が容易になる。
【００６９】
また試験中に実際に火災が起きると試験動作を強制的に停止して通常の火災監視状態に戻ることができ、試験中に万が一火災が起きても確実に対応することができる。更に、火災感知器の試験が終了した後に確認信号を中継器を経由して住戸内受信機に送ることで、その戸外表示器を試験的に作動表示させることができ、火災感知器のみならず、中継器、住戸用受信機及び戸外表示器全体としての確認試験もできる。
【００７０】
更に、試験器自体に直接感知器ベース等の感知器接続治具を接続し、感知器ベースに終端抵抗を設けておくことで感知器本体を装着して、火災感知器単体の試験ができる。更にまた、通常の試験モード以外に複数の火災感知器の試験動作を繰り返す繰返し試験モードを設定でき、これによって例えば火災感知器の発報表示灯の動作確認や異常を起こした火災感知器の発見等が容易にできる。
【図面の簡単な説明】
【図１】本発明の火災報知設備のブロック図
【図２】本発明の試験器の説明図
【図３】本発明で用いる火災感知器の回路図
【図４】図２の試験器による信号波形のタイミングチャート
【図５】本発明の試験処理のフローチャート
【符号の説明】
１０：中継器
１２ａ〜１２ｎ：火災感知器
１４：住戸用受信機
１６：戸外表示器
１８：外部試験器
２０：試験用終端抵抗
２２：断線監視用終端抵抗
２６：試験中表示灯
２８：切替リレー
３０：制御部
３２：受信回路
４６：制御回路
４８：電源回路部
６０：電源スイッチ
６２：電源灯
６４：試験信号送出回路
６５：感知器接続ジャック
６６：試験信号電圧制御回路
６８：終端信号検出回路
７０：ＤＣ／ＤＣコンバータ
７２：火災信号検出回路
７４：試験火災信号検出回路
７６：確認信号送出回路
７８：試験中信号送出回路
８０：故障感知器番号表示器
８２：試験開始スイッチ
８４：試験終了スイッチ
８６：モード切替スイッチ
８８：試験中灯
９０：試験結果表示灯
９４：火災灯
９５：ブザー
１００：試験タイマ（Ｔ１）
１０２：異常判定タイマ（Ｔ２）
１０４：火災判定タイマ（Ｔ３）
１１０：スイッチング回路
【図１】
0003761116.tif 000002
【図２】
0003761116.tif 000003
【図３】
0003761116.tif 000004
【図４】
0003761116.tif 000005
【図５】
0003761116.tif 000006